(57)【特許請求の範囲】
【請求項１】
エレベータの乗場の壁に形成された空間部に収納され、保全用コネクタを端部に有する保全用ケーブルと、上記空間部を覆うように配置され、表示器及び操作釦が設けられたカバープレートとを備えたエレベータ乗場の操作装置において、
上記空間部に配置され、上記保全用コネクタを端部に有する上記保全用ケーブルが収納されるケースを備え、
上記カバープレートが、上記ケースに係着され、上記表示器及び上記操作釦が保持される内プレートと、この内プレートを覆うように配置され、上記内プレートに着脱可能に設けられる外プレートとから成り、
上記内プレートに、上記保全用コネクタを端部に有する上記保全用ケーブルの取り出しが可能な取り出し口を設けたことを特徴とするエレベータ乗場の操作装置。
【請求項２】
請求項１に記載のエレベータ乗場の操作装置において、
上記取り出し口は、上記内プレートに形成され、回動可能な開閉扉で塞がれる開口部と、この開口部とは別に形成した穴の少なくとも一方から成ることを特徴とするエレベータ乗場の操作装置。
【請求項３】
請求項２に記載のエレベータ乗場の操作装置において、
上記表示器は、上記内プレートに固定される表示基盤と、この表示基盤を覆うように内プレートから上記外プレート方向に突出するように設けられる表示カバーとを含み、
上記操作釦は、上記内プレートから上記外プレート方向に突出するように形成してあり、
上記外プレートに、上記表示器の上記表示カバーが挿入される開口部と、上記操作釦が挿入される開口部を形成したことを特徴とするエレベータ乗場の操作装置。
【請求項４】
請求項１〜３のいずれか１項に記載のエレベータ乗場の操作装置において、
上記外プレートを、上記内プレートから離れる方向に、及び上記内プレートに近づく方向に、スライド可能に保持するスライド構造を設けたことを特徴とするエレベータ乗場の操作装置。
【請求項５】
請求項４に記載のエレベータ乗場の操作装置において、
上記スライド構造は、
上記外プレートに取り付けられ、上記内プレートに向かって水平方向に延設されたスライドピンと、上記ケースまたは上記内プレートに設けられ、上記スライドピンを水平方向に案内するピンガイドと、上記スライドピンに設けられ、上記外プレートを上記内プレートから離れる方向にスライドさせた際に上記ピンガイドに係止されるストッパとを含むことを特徴とするエレベータ乗場の操作装置。
【発明の詳細な説明】
【技術分野】
【０００１】
本発明は、エレベータの乗場に設けられ、保全用コネクタを端部に有する保全用ケーブルが収納される空間部を覆うカバープレートを有するエレベータ乗場の操作装置に関する。
【背景技術】
【０００２】
近年、機械室レスエレベータが主流となっているが、ブレーキなどのエレベータ機器の保守点検に際し、点検作業者の安全を確保するために昇降路の外部からエレベータ機器の状態を確認する保全作業が増してきている。このような保全作業に際しては、乗場に設けられた操作装置のカバープレートを取り外し、操作装置の内部空間に配置されている保全用コネクタ及び保全用ケーブルを外部に引き出し、引き出された保全用コネクタを例えば点検作業者の携帯端末装置に接続し、携帯端末装置を操作することによって保全作業が行われる。
【０００３】
このような保全作業が行われるエレベータ乗場の操作装置として従来、特許文献１に示されるものがある。この従来技術は、乗場の壁に形成され、コネクタセット及び配線用ケーブル、すなわち保全用コネクタ及び保全用ケーブルが収納される空間部を覆い、表示器及び操作釦が設けられたカバープレートと、このカバープレートを水平方向へスライドさせるスライド装置とを備えた構成になっている。この従来技術は、カバープレートをスライドさせることにより空間部内に収納されている保全用コネクタ及び保全用ケーブルを外部に引き出し、点検作業者の携帯端末装置に保全用コネクタを接続して、上述のような保全作業を行うようにしたものである。
【先行技術文献】
【特許文献】
【０００４】
【特許文献１】特開２００８−１７４３１７号公報
【発明の概要】
【発明が解決しようとする課題】
【０００５】
上述した特許文献１に示される従来技術では、保全作業の終了後に保全用コネクタ及び保全用ケーブルを乗場の壁に形成された空間部に収納した後、いたずら等によってカバープレートが取り外されないようにするために、空間部を塞ぐように強い押圧力によってカバープレートを壁に押圧し、固定することが行われる。この際に従来技術にあっては、保全用コネクタあるいは保全用ケーブルが、カバープレートと、壁に形成した空間部のエッジ部との間に挟まれ、保全用コネクタの破損、あるいは保全用ケーブルの切断を生じる懸念がある。すなわち従来技術では、保全作業後に空間部へ保全用コネクタ及び保全用ケーブルを収納させる際の保全用コネクタ及び保全用ケーブルの安全保護の点で問題があった。
【０００６】
本発明は、上述した従来技術における実状からなされたもので、その目的は、保全作業後に保全用コネクタの破損、及び保全用ケーブルの切断を生じることなく、これらの保全用コネクタと保全用ケーブルを収納することができるエレベータ乗場の操作装置を提供することにある。
【課題を解決するための手段】
【０００７】
上記目的を達成するために、本発明に係るエレベータ乗場の操作装置は、エレベータの乗場の壁に形成された空間部に収納され、保全用コネクタを端部に有する保全用ケーブルと、上記空間部を覆うように配置され、表示器及び操作釦が設けられたカバープレートとを備えたエレベータ乗場の操作装置において、上記空間部に配置され、上記保全用コネクタを端部に有する上記保全用ケーブルが収納されるケースを備え、上記カバープレートが、上記ケースに係着され、上記表示器及び上記操作釦が保持される内プレートと、この内プレートを覆うように配置され、上記内プレートに着脱可能に設けられる外プレートとから成り、上記内プレートに、上記保全用コネクタを端部に有する上記保全用ケーブルの取り出しが可能な取り出し口を設けたことを特徴としている。
【０００８】
このように構成した本発明は、保全作業の終了後には、内プレートの取り出し口から保全用コネクタ及び保全用ケーブルがケース内に収納された状態において、外プレートが内プレートに装着される。したがって、外プレートを内プレートに装着させる際に、保全用コネクタ及び保全用ケーブルが内プレートの外部に露出せず、仮に外プレートを強い押圧力で内プレートに装着させたとしても、外プレートによって保全用コネクタ及び保全用ケーブルが挟まれることがない。これにより、保全用コネクタが破損する虞がなく、また保全用ケーブルが切断する虞がない。すなわち、保全作業後に保全用コネクタの破損及び保全用ケーブルの切断を生じることなく、これらの保全用コネクタと保全用ケーブルをケース内に収納させることができる。
【０００９】
また本発明は、上記発明において、上記取り出し口は、上記内プレートに形成され、回動可能な開閉扉で塞がれる開口部と、この開口部とは別に形成した穴の少なくとも一方から成ることを特徴としている。このように構成した本発明は、保全作業の終了後に、保全用コネクタ及び保全用ケーブルを、内プレートの開口部を介して、あるいは開口部とは別に形成した穴を介して、容易にケース内に収納させることができる。
【００１０】
また本発明は、上記発明において、上記表示器は、上記内プレートに固定される表示基盤と、この表示基盤を覆うように内プレートから上記外プレート方向に突出するように設けられる表示カバーとを含み、上記操作釦は、上記内プレートから上記外プレート方向に突出するように形成してあり、上記外プレートに、上記表示器の上記表示カバーが挿入される開口部と、上記操作釦が挿入される開口部を形成したことを特徴としている。このように構成した本発明は、外プレートに形成した開口部に表示器の表示カバーを挿入させることにより、表示カバーの配置に対する良好な意匠性を確保でき、また外プレートに形成した別の開口部に操作釦を挿入させることにより、操作釦の配置に対する良好な意匠性を確保することができる。
【００１１】
また本発明は、上記発明において、上記外プレートを、上記内プレートから離れる方向に、及び上記内プレートに近づく方向に、スライド可能に保持するスライド構造を設けたことを特徴としている。このように構成した本発明は、外プレートを取り外すことなく保全作業を行うことができ、保全作業の能率を向上させることができる。
【００１２】
また本発明は、上記発明において、上記スライド構造は、上記外プレートに取り付けられ、上記内プレートに向かって水平方向に延設されたスライドピンと、上記ケースまたは上記内プレートに設けられ、上記スライドピンを水平方向に案内するピンガイドと、上記スライドピンに設けられ、上記外プレートを上記内プレートから離れる方向にスライドさせた際に上記ピンガイドに係止されるストッパとを含むことを特徴としている。このように構成した本発明は、外プレートを内プレートから離れる方向にスライドさせた際に、スライドピンに設けたストッパがピンガイドに係止し、それ以上の外プレートのスライド動作が阻止される。これにより、外プレートを落下しないように安定して保持できる。
【発明の効果】
【００１３】
本発明は、保全用コネクタを端部に有する保全用ケーブルが収納されるケースを覆うカバープレートが、ケースに係着され、表示器及び操作釦が保持される内プレートと、この内プレートを覆うように配置され、内プレートに着脱可能に設けられる外プレートとから成り、内プレートに、保全用コネクタを端部に有する保全用ケーブルの取り出しが可能な取り出し口を設けた構成にしてある。この構成により本発明は、外プレートを内プレートに装着させる際には、内プレートによって覆われるケース内に保全用コネクタ及び保全用ケーブルを収納させ、保全用コネクタ及び保全用ケーブルが外部に露出しない状態にすることができ、この状態で外プレートを内プレートに取り付けることができる。これにより本発明は、保全作業後に保全用コネクタの破損、及び保全用ケーブルの切断を生じることなく、これらの保全用コネクタと保全用ケーブルをケースに収納することができ、従来に比べて保全用コネクタ及び保全用ケーブルの安全保護を実現させることができる。
【図面の簡単な説明】
【００１４】
【図１】本発明に係るエレベータ乗場の操作装置が配置されるエレベータの乗場を示す正面図である。
【図２】本発明に係るエレベータ乗場の操作装置の第１実施形態を示す横断面図である。
【図３】第１実施形態の分解斜視図である。
【図４】本発明の第２実施形態を示す横断面図である。
【発明を実施するための形態】
【００１５】
以下、本発明に係るエレベータ乗場の操作装置の実施の形態を図に基づいて説明する。
【００１６】
図１は本発明に係るエレベータ乗場の操作装置が配置されるエレベータの乗場を示す正面図、図２は本発明に係るエレベータ乗場の操作装置の第１実施形態を示す横断面図、図３は第１実施形態の分解斜視図である。
【００１７】
本発明の第１実施形態に係るエレベータ乗場の操作装置３は、図１に示すように、例えば最下階の乗場１に設けられる乗場ドア２の近傍に設けてある。本発明の第１実施形態は、３つの主要構成部品を含んでいる。図２，３に示すように、３つの主要構成部品のうちの第１の主要構成部品は、乗場１の壁に形成した穴に挿入されるようにして配置されるケース４である。第２の主要構成部品は、ケース４によって形成される空間部を覆うようにケース４に係着される内プレート６を含む内プレートブロック５である。第３の主要構成部品は、内プレート６を覆うように配置され、内プレート６に着脱可能に設けた外プレート２１である。内プレート６と外プレート２１とによってカバープレートが構成されている。
【００１８】
上述したケース４の内部に形成される空間部には、例えば表示用コネクタ１２ａを端部に有する表示用ケーブル１２、及び保全用コネクタ１４ａを端部に有する保全用ケーブル１４が収納されている。ケース４内の互いに対向する両内側壁の上下方向には、挟持具を形成する板ばね４ａ，４ｂをそれぞれ２つずつ取り付けてある。
【００１９】
上述した内プレートブロック５は、内プレート６に保持される表示器、及び操作釦１９を含んでいる。表示器は、内プレート６に固定され、表示用コネクタ１２ａが接続される表示基盤７と、この表示基盤７を覆うように内プレート６から外プレート２１方向に突出して設けられる表示カバー９とを含んでいる。また、操作釦１９は、内プレート６から外プレート２１方向に突出するように形成してある。
【００２０】
また、内プレートブロック５は、内プレート６の両側部の上下方向にそれぞれ２つずつ設けられ、上述したケース４の内部の板ばね４ａ，４ｂに差し込むことによって、これらの板ばね４ａ，４ｂに係着、すなわち挟持される計４つの爪部８ａ，８ｂを含んでいる。また、内プレートブロック５は、内プレート６の両側部の上下方向に２つの爪部８ａあるいは２つの爪部８ｂを挟むようにそれぞれ２つずつ計４つ設けられたボールキャッチ雌部１０ａ，１０ｂを含んでいる。さらに、内プレートブロック５は、内プレート６の両側部の上下方向に２つずつ、それぞれ２つの爪部８ａの間に位置するように、あるいは２つの爪部８ｂの間に位置するように、内プレート６がケース４の奥側に入り過ぎないように規制する４つのストッププレート１１ａ，１１ｂを含んでいる。
【００２１】
内プレートブロック５に含まれる内プレート６には、保全用コネクタ１４ａを端部に有する保全用ケーブル１４の取り出しが可能な取り出し口を設けてある。この取り出し口は、内プレート６に形成され、一対のヒンジ部１７ａを介して回動可能な開閉扉１６で塞がれる開口部１６ａと、開閉扉１６に設けられ、開口部１６ａとは別に形成され、例えば保全用コネクタ１４ａを取り出す点検作業者の指等の挿入が可能な形状を有する穴１８とから成っている。
【００２２】
上述した外プレート２１は、プレート部２２と、このプレート部２２の両側部の上下方向に２つずつ計４つ設けられ、内プレート６に設けたボールキャッチ雌部１０ａ，１０ｂのそれぞれ対向するものに係脱可能な計４つのボールキャッチ雄部２３ａ，２３ｂとを備えている。プレート部２２には、内プレート６に設けられる表示器の表示カバー９が挿入される開口部２４と、内プレート６に設けられる操作釦１９が挿入される開口部２５とを形成してある。また、図２に示すように、プレート部２２には、内プレートブロック５のストッププレート１１ａ，１１ｂの収納が可能なざぐり穴２６ａ，２６ｂを計４つ形成してある。
【００２３】
このように構成した第１実施形態の組み込みに際しては、乗場１の壁に取り付けられたケース４の板ばね４ａ，４ｂに、内プレートブロック５の爪部８ａ，８ｂをそれぞれ差し込むようにして、内プレートブロック５のストッププレート１１ａ，１１ｂがケース５の縁に当接するまで挿入する。この状態において、外プレート２１のボールキャッチ雄部２３ａ，２３ｂを、内プレートブロック５のボールキャッチ雌部１０ａ，１０ｂに係合させるように、外プレート２１を内プレート６方向に押し込む。このとき、内プレートブロック５に設けた表示カバー９は外プレート２１の開口部２４に挿入され、内プレートブロック５に設けた操作釦１９は外プレート２１の開口部２５に挿入される。また、内プレートブロック５のストッパプレート１１ａ，１１ｂは、外プレート２１のざぐり穴２６ａ，２６ｂ内に収納される。これらによって、外プレート２１を内プレートブロック５の内プレート６に、内プレート６を覆うように接合させて装着することができる。
【００２４】
このようにして、カバープレートを構成する内プレート６と外プレート２１がケース４に取り付けられる。したがって、乗場１において操作装置３の操作釦１９を操作することにより、図示しない乗りかごを乗場１に呼び寄せることができる。
【００２５】
また、保全作業に際し、ケース４内に収納された保全用コネクタ１４ａを図示しない携帯端末装置等に接続するときには、点検作業者は例えば図示しない吸盤を外プレート２１に吸着させて、外プレート２１を内プレート６から取り外す。この状態で例えば開閉扉１６を回動させて開くことにより、保全用コネクタ１４ａ及び保全用ケーブル１４を内プレート６の開口部１６ａから外部に引き出すことができる。あるいは、開閉扉１６を開くことなく、開閉扉１６に形成した穴１８から保全用コネクタ１４ａを指等によって外部に引き出すことができる。このように外部に引き出された保全用コネクタ１４ａを携帯用端末装置等に接続することにより、所望の保全作業を行うことができる。なお、例えば操作釦１９を交換する際にも、外プレート２１を内プレート６から取り外すことによって行うことができる。
【００２６】
上述した保全作業の終了後には、携帯端末装置等から保全用コネクタ１４ａを取り外し、内プレート６の開かれている開口部１６ａから保全コネクタ１４ａ及び保全用ケーブル１４をケース４内に収納し、開閉扉１６を閉じることが行われる。あるいは、内プレート６の穴１８から保全用コネクタ１４ａ及び保全用ケーブル１４をケース４内に収納することが行われる。この状態で、再び外プレート２１を内プレート６方向に押し込み、内プレート６に装着させることが行われる。
【００２７】
このように構成した第１実施形態にあっては、上述したように、保全作業の終了後には、内プレート６の取り出し口から保全用コネクタ１４ａ及び保全用ケーブル１４をケース４内に収納した状態において、外プレート２１が内プレート６に装着される。したがって、外プレート２１を内プレート６に装着させる際に、保全用コネクタ１４ａ及び保全用ケーブル１４が内プレート６の外部に露出せず、外プレート２１を強い押圧力で内プレート６に装着させたとしても、外プレート２１によって保全用コネクタ１４ａ及び保全用ケーブル１４が挟まれることがない。これにより、外プレート２１によって保全用コネクタ１４ａが破損する虞がなく、また、保全用ケーブル１４が切断する虞がない。すなわち、保全作業後に、保全用コネクタ１４ａの破損及び保全用ケーブル１４の切断を生じることなく、これらの保全用コネクタ１４ａ及び保全用ケーブル１４をケース４に収納することができ、保全用コネクタ１４ａ及び保全用ケーブル１４の安全保護を実現させることができる。
【００２８】
また、この第１実施形態にあっては、保全作業の終了後に、保全用コネクタ１４ａ及び保全用ケーブル１４を、内プレート６の開口部１６ａを介して、あるいは開閉扉１６に形成した穴１８を介して容易にケース４内に収納させることができる。これにより保全作業の終了後の処理作業を簡単に行うことができる。
【００２９】
なお、保全用コネクタ１４ａ及び保全用ケーブル１４をケース４内に収納させるに際しては、開閉扉１６が開かれている状態で、一旦保全用コネクタ１４ａ及び保全用ケーブル１４をケース４の内側から穴１８を通して外部に引き出し、その状態で開閉扉１６を閉じ、ここで外部に引き出されている保全用コネクタ１４ａ及び保全用ケーブル１４をケース４に押し込んで収納させるようにしてもよい。このようにして保全用コネクタ１４ａ及び保全用ケーブル１４をケース４内に収納すれば、保全用コネクタ１４ａ及び保全用ケーブル１４が、開閉扉１６と内プレート６の開口部１６ａのエッジ部とによって挟まれることを確実に防ぐことができる。
【００３０】
また、この第１実施形態にあっては、外プレート２１に形成した開口部２４に表示器の表示カバー９を収納させることにより、表示カバー９の配置に対する良好な意匠性を確保でき、また外プレート２１に形成した別の開口部２５に操作釦１９を挿入させることにより、操作釦１９の配置に対する良好な意匠性を確保することができる。したがって、美観を保ったカバープレートとすることができる。
【００３１】
また、外プレート２１を吸盤によって取り外すようにしてあることから、いたずら等によって外プレート２１が簡単に取り外されることを防止することができる。これにより、ケース４内に収納された表示用コネクタ２１ａ及び表示用ケーブル１２、並びに保全用コネクタ１４ａ及び保全用ケーブル１４のいたずら等からの保護を図ることができる。
【００３２】
図４は本発明の第２実施形態を示す横断面図である。この第２実施形態に係るエレベータ乗場の操作装置３０は、外プレート２１を、内プレート６から離れる方向に、及び内プレート６に近づく方向に、スライド可能に保持するスライド構造を設けた構成にしてある。
【００３３】
このスライド構造は、外プレート２１のプレート部２２の両側部近傍の上下方向にそれぞれ２つずつ計４つ設けたねじ部３２ａ，３２ｂと、これらのねじ部３２ａ，３２ｂのそれぞれに螺合され、内プレート６に向かってそれぞれ水平方向に延設された計４本のスライドピン３１ａ，３１ｂを含んでいる。また、このスライド構造は、例えばケース４の両内側壁にそれぞれ設けられ、４本のスライドピン３１ａ，３１ｂを水平方向に案内する計４つのピンガイド３２ａ，３２ｂと、スライドピン３１ａ，３１ｂのそれぞれに設けられ、外プレート２１を内プレート６から離れる方向にスライドさせた際にピンガイド３２ａ，３２ｂにそれぞれ係止されるストッパ３４ａ，３４ｂとを含んでいる。その他の構成は上述した第１実施形態と同等である。
【００３４】
このように構成した第２実施形態にあっては、保全作業に際し、外プレート２１に吸盤を吸着させスライドさせる際に、外プレート２１はスライドピン３１ａ，３１ｂ及びピンガイド３３ａ，３３ｂを介して水平方向にスライドするものの、外プレート２１を取り外すことなく保全作業を行うことができる。これにより保全作業の能率を向上させることができる。
【００３５】
また、外プレート２１を吸盤で吸着させて水平方向にスライドさせる際に、スライドピン３１ａ，３１ｂに設けたストッパ３４ａ，３４ｂがピンガイド３３ａ，３３ｂに係止することにより、外プレート２１のスライド動作が停止する。したがって、外プレート２１を落下しないように安定して保持でき、保全作業の能率向上に貢献する。その他の作用効果については第１実施形態と同等である。
【００３６】
なお、上記第２実施形態ではピンガイド３３ａ，３３ｂをケース４の両内側壁に設けたが、これらのピンガイド３３ａ，３３ｂを内プレートブロック５のケース４側に位置する内プレート６の面に設けてもよい。
【００３７】
また、上記第１，第２実施形態において、保全用コネクタ１４ａ及び保全用ケーブル１４の取り出し口として穴１８を設けず、開閉扉１６によって塞がれる開口部１６ａだけを設けてもよい。また、これとは逆に保全用コネクタ１４ａ及び保全用ケーブル１４を引き出すための開閉扉１６を設けずに、内プレート６に穴１８だけを設ける構成とすることもできる。
【００３８】
また、第１，第２実施形態にあっては、ボールキャッチ雌部１０ａ，１０ｂを内プレート６に設けたが、これに代えてボールキャッチ雌部１０ａ，１０ｂをケース４の両内側壁に設けた構成にしてもよい。
【００３９】
また、第１，第２実施形態にあっては、ボールキャッチ雌部１０ａ，１０ｂとボールキャッチ雄部２３ａ，２３ｂとを介して内プレート６に外プレート２１を着脱可能に構成したが、これらのボールキャッチ雌部１０ａ，１０ｂとボールキャッチ雄部２３ａ，２３ｂを設けることに代えて、マグネットキャッチを設け、このマグネットキャッチを介して外プレート２１を内プレート６に装着させる構成にしてもよい。
【符号の説明】
【００４０】
１    乗場
３    操作装置
４    ケース
４ａ  板ばね
４ｂ  板ばね
５    内プレートブロック
６    内プレート
７    表示基盤
８ａ  爪部
８ｂ  爪部
９    表示カバー
１０ａ  ボールキャッチ雌部
１０ｂ  ボールキャッチ雌部
１４ａ  保全用コネクタ
１４    保全用ケーブル
１６    開閉扉
１６ａ  開口部
１８    穴
１９    操作釦
２１    外プレート
２２    プレート部
２３ａ  ボールキャッチ雄部
２３ｂ  ボールキャッチ雄部
３０    操作装置
３１ａ  スライドピン
３１ｂ  スライドピン
３２ａ  ねじ部
３２ｂ  ねじ部
３３ａ  ピンガイド
３３ｂ  ピンガイド
３４ａ  ストッパ
３４ｂ  ストッパ
【図１】
0005718202.tif 000002
【図２】
0005718202.tif 000003
【図３】
0005718202.tif 000004
【図４】
0005718202.tif 000005